(57)【特許請求の範囲】
【請求項１】
液晶パネル及び照明装置を有し、前記照明装置の発光を利用して前記液晶パネルの有効表示領域内に可視情報を表示する液晶表示装置において、
前記照明装置は、互いに対向する一対の電極を有し、該一対の電極間に所定の電圧を印加することで生じる放電によって四角形状の発光面を通して外部へ光を放射し、
前記発光面上の四辺に沿う縁部に前記一対の電極に重なるように光反射部材が配設されており、
前記光反射部材の内縁端は、前記液晶パネルの前記有効表示領域の外側に設けられた遮光領域内に位置することを特徴とする液晶表示装置。
【請求項２】
前記光反射部材上に導電膜が設けられていることを特徴とする請求項１に記載の液晶表示装置。
【請求項３】
前記光反射部材の反射面は白色であることを特徴とする請求項１又は２に記載の液晶表示装置。
【請求項４】
請求項１乃至３のいずれかに記載の液晶表示装置と、該液晶表示装置に電力を供給する電源部と、該液晶表示装置の動作を制御する制御部とを有することを特徴とする電子機器。
【発明の詳細な説明】
【０００１】
【発明の属する技術分野】
本発明は、互いに対向する一対の線状電極間に発生する面内放電によって平面状の光を発光する照明装置に関する。また本発明は、その照明装置を用いた液晶表示装置に関する。また本発明は、その液晶表示装置を用いた電子機器に関する。
【０００２】
【従来の技術】
近年、デジタルスチルカメラ、ビデオカメラ、携帯電話機、その他種々の電子機器のための可視情報表示部として液晶表示装置が広く用いられるようになって来ている。液晶表示装置をデジタルスチルカメラやビデオカメラ等に使用するときには、その液晶表示装置は撮像を確認するためのファインダとして働くことが多い。また、携帯電話機等に使用するときには、電話番号その他の情報を表示するために液晶表示装置が用いられる。
【０００３】
この液晶表示装置は、液晶の配向を制御することで光を変調して数字、文字、映像等といった可視情報を表示するものであり、一般には、液晶パネルに駆動回路を装着した液晶モジュールに、さらに照明装置や反射板等を装着することによって構成される。
【０００４】
上記照明装置として、従来、図８に示すように、内部に空間を備えた成形ガラス５２と、それに重ね合わせて接合されるガラス板５３と、そしてそれらの間に挿入された一対の電極５４ａ及び５４ｂとを有する照明装置５１が知られている。この照明装置５１では、電極５４ａと電極５４ｂとの間に所定の電圧を印加したときにそれらの電極間で面内放電が生じ、この面内放電に基づいて、ガラス板５３の四角形状の外側表面、すなわち発光面５３ａから面状の光が発光する。
【０００５】
ところで後述するように、本発明に係る照明装置は、発光面に反射領域を設けることを要件とするが、従来、照明装置に反射領域を設定するという考えを利用したものとして、特開平３−５３４０３号公報に開示された照明装置が知られている。しかしながらここに示された照明装置は面内放電に基づくいわゆる平面蛍光管を用いるものではなく、また、発光面に反射領域を設けるという考えもない。また、特開昭６２−２２９２８３号公報には反射板を用いた照明装置が開示されているが、この照明装置も平面蛍光管を用いるものではなく、また、蛍光管に対する位置関係の上で反射板を設けるという考えもない。
【０００６】
【発明が解決しようとする課題】
今、図８の矢印Ａ−Ａに従って照明装置５１の断面構造を示すと図９に示す通りであり、この断面部分の発光強度分布を示したものが曲線Ｂである。有効発光領域Ｄというのは、照明対象物の希望領域を照明するために発光する領域のことであり、例えばこの照明装置５１を液晶表示装置のためのバックライトとして用いるときには、この有効発光領域Ｄが液晶モジュールの可視情報表示領域に相当する。液晶モジュールの可視情報表示領域は、一般に、有効発光領域Ｄに等しいか又はそれよりも狭く設定される。
【０００７】
従来の照明装置５１に関しては、発光分布曲線Ｂで示すように、発光面５３ａの縁部からの発光強度の立ち上がりが緩やかであるため、有効発光領域Ｄを広く設定しようとするとその縁部Ｆ、すなわち電極５４ａ及び５４ｂの近傍、において発光強度が低くなるという問題があった。従って、この照明装置５１を液晶表示装置のためのバックライトとして用いるときには、液晶表示装置に表示される可視情報の縁部分が中央部分に比べて暗くなるという問題があった。この問題は、図８のＡ−Ａ断面、すなわち電極５４ａ及び５４ｂを横切る断面に関するのみならず、Ｃ−Ｃ断面、すなわちそれらの電極と平行な断面に関しても同様に発生することが観察された。
【０００８】
本発明は、上記の問題点に鑑みて成されたものであって、線状電極による面内放電に基づいて平面状の発光を行う照明装置において、有効発光領域の縁部の輝度の低下を防止して輝度ムラを解消し、もって、有効発光領域の全面にわたって均一な輝度の発光を得ることを目的とする。
【０００９】
【課題を解決するための手段】
本発明に係る照明装置は、互いに対向する一対の電極を有し、該一対の電極間に所定の電圧を印加することで生じる放電によって四角形状の発光面を通して外部へ光を放射する平面状の照明装置において、前記発光面上の四辺に沿う縁部には光反射部材が配設されていることを特徴とする。
また、前記発光面上の縁部に配設される光反射部材は、前記発光面を通して外部へ向かう光を内部へ反射させることを特徴とする。
【００１０】
この照明装置によれば、発光面の縁部から外部へ放散しようとする光を光反射部材によって照明装置の内部へ反射させて有効発光領域の縁部へ導くことができ、従って、有効発光領域の縁部の発光輝度を高めることができる。そしてその結果、発光面のうち有効発光領域の前面にわたって均一な輝度の発光を得ることができる。特に、発光面の縁部であって電極の近傍に光反射部材からなる反射領域を設けることにすれば、電極からの光をその反射領域によって有効に回収できるので、発光面の有効発光領域の縁部における発光輝度をより一層確実に高めることができる。
【００１１】
上記発光面は、図４及び図５に符号１８ａで示すように、四角形状に形成されることが多い。しかしながら、その形状は必要に応じて他の任意の形状とすることもできる。また、上記の反射領域は任意の方法によって形成できる。例えば、白色樹脂を用いて所定形状に形成した反射板を発光面に重ねて配置することによって反射領域を形成できる。この場合の白色樹脂としては、例えば、白色のＰＥＴ（ポリエチレンテレフタレート）を用いることができる。また、反射領域の形成方法として、白色インクを発光面上に印刷する方法も考えられる。
【００１２】
上記の反射領域は、図４に符号４で示すように、発光面１８ａの縁部の全域に設けることもできるし、あるいは図５に符号４で示すように、一対の線状電極２０ａ及び２０ｂに沿った縁部だけに設けることもできる。また、線状電極２０ａ及び２０ｂに対応しない縁部Ｆ０  ，Ｆ０  に設けることもできる。
【００１３】
上記反射領域には導電物質を含ませることが望ましい。含ませ方としは、反射領域として発光面の上に設けられた白色樹脂等の上に、さらに導電膜を重ね合わせるという方法が考えられる。またその他に、白色インクの中に導電粒子を混入した上でその白色インクを用いて発光面上に所定パターンの反射領域を印刷によって形成するという方法も考えられる。
【００１４】
このように反射領域に導電物質を含ませれば、一対の電極間で放電が発生する上でのその放電のきっかけとなる種電子を誘発できるので、照明装置を迅速且つ確実に点灯させることができる。すなわち、点灯始動性が向上する。
【００１５】
次に、本発明に係る液晶表示装置は、液晶パネル及び照明装置を有し、前記照明装置の発光を利用して前記液晶パネルの有効表示領域内に可視情報を表示する液晶表示装置において、前記照明装置は、互いに対向する一対の電極を有し、該一対の電極間に所定の電圧を印加することで生じる放電によって四角形状の発光面を通して外部へ光を放射し、前記発光面上の四辺に沿う縁部に前記一対の電極に重なるように光反射部材が配設されており、前記光反射部材の内縁端は、前記液晶パネルの前記有効表示領域の外側に設けられた遮光領域内に位置することを特徴とする。
【００１６】
この液晶表示装置によれば、照明装置の発光面に反射領域を設けることにより、その発光面のうちの有効発光領域の縁部の発光輝度を高めることができ、それ故、その有効発光領域の全面の輝度を均一にできる。一般に、照明装置の有効発光領域は液晶表示装置の表示領域に対応するので、上記のように、照明装置の有効発光領域の縁部の輝度を高められるということは、液晶表示装置の表示領域の縁部をも明るく照明できるということであり、よって、液晶表示装置の表示領域を広く設定した場合でも、その広い表示領域内の全域を均一な明るさで表示できるということである。
【００１７】
この液晶表示装置において、照明装置の発光面に設ける反射領域は、液晶パネルの表示領域の外側に設置することが望ましい。こうすれば、照明装置の発光面に反射領域を設けることによって液晶表示装置の表示領域が狭められることを防止できる。
【００１８】
ところで、一般の液晶表示装置では、図６に示すように、液晶モジュール２の表示領域Ｖの外側に遮光領域１６が形成されることがある。仮に、表示領域Ｖのまわりに何もないと、バックライト（図示せず）からの光が表示領域Ｖの外側から外部へ漏れ出てその領域Ｖのまわりに高輝度の枠が見えてしまう。この高輝度の枠は、これを見る者にとって不快感を与えることがある。上記のように表示領域Ｖのまわりに遮光領域１６を設けるのは、表示領域Ｖの周りからそのような光が漏れ出ることを防止するためである。
【００１９】
上記のように遮光領域１６を設けることに加えて、一般の液晶表示装置では、液晶モジュール２及びバックライト等がケース２１の中に収納され、表示領域Ｖだけがそのケース２１の開口２１ａを通して外部へ露出する。この構成において、そのケース開口２１ａの端縁が遮光領域１６の内部領域に入っていれば問題はないのであるが、通常、遮光領域１６の幅Ｗは０．６ｍｍ〜１ｍｍ程度と非常に狭く形成されるので、ケース開口２１ａの端縁をこの狭い遮光領域１６に入るようにケース２１を液晶モジュール２に組み付けることは非常に難しく、多くの場合は、ケース開口２１ａの端縁と遮光領域１６の外縁との間に隙間Ｇが形成されてしまう。こうなると、この隙間Ｇを通してバックライトからの光が外部へ漏れ出てしまい、やはり、表示領域Ｖのまわりに高輝度の枠が見えてしまって外観を損なうことになる。
【００２０】
このような状況に鑑み、本発明に従って照明装置の発光面の縁部に反射領域を形成する際には、その反射領域の内縁端が液晶モジュール内の遮光領域の内部に対応して位置するようにすることが望ましい。こうすれば、照明装置の発光面に設けた反射領域は、常に、隙間を形成することなく液晶モジュール内の遮光領域の外側に位置することになるので、液晶モジュール内の遮光領域よりも外側の領域へ向かって進行する光はその反射領域によって内部へ反射されて外部へは漏れ出ない。従って、仮に、図６に示すように、液晶モジュール２をケース２１内に収納したときに、ケース開口２１ａと遮光領域１６との間に隙間Ｇが発生したとしても、バックライトからの光がその隙間Ｇから外部へ漏れ出ることを確実に防止できる。
【００２１】
次に、本発明に係る電子機器は、上記の本発明に係る液晶表示装置を含んで構成された電子機器である。この電子機器は、少なくとも液晶表示装置と、その液晶表示装置に電力を供給する電源部と、その液晶表示装置の動作を制御する制御部とを含んで構成されるものであって、例えば、デジタルスチルカメラ、ビデオカメラ、携帯電話機、その他各種の電子機器が考えられる。
【００２２】
【発明の実施の形態】
（第１実施形態）
図１は、本発明に係る照明装置の一実施形態及び液晶表示装置の一実施形態を示している。ここに示した液晶表示装置１は、液晶モジュール２と、照明装置３と、四角形状で環状の反射部材４とを含んで構成される。この反射板４は、白色ＰＥＴ（ポリエチレンテレフタレート）等といった光反射材料によって形成された環状の反射部材６と、アルミニウム箔等といった導電材料によって形成されていて反射部材６と同じ形状に形成された導電膜７とを互いに重ね合わせることによって形成される。また、アルミニウム粒子を含有する塗料を反射部材６に塗布することによって導電膜７を形成することもできる。
【００２３】
液晶モジュール２は、本実施形態の場合、アクティブ素子としてＭＩＭ素子を用いたアクティブマトリクス方式の液晶モジュールによって構成する。より具体的に説明すれば、液晶モジュール２は、図２に示すように、一対の透明基板８ａ及び８ｂを含んで構成される。一方の透明基板８ａの上には、複数の直線状のリード電極１１が形成され、さらに各リード電極１１の間に複数の画素電極１２が形成され、そして、個々の画素電極１２と個々のリード電極１１とがＭＩＭ素子（図示せず）によって接続される。また、他方の透明基板８ｂの上には、複数のストライプ状の透明電極１３が形成される。
【００２４】
リード電極１１と透明電極１３とが互いに直交するようにして透明基板８ａ及び８ｂを重ね合わせ、さらにそれらの基板の間に所定の間隙、いわゆるセルギャップを形成した状態でそれらの基板をシール材９によって互いに接着し、さらにそのセルギャップ内に液晶を封入することによって、液晶パネルを形成する。こうして形成された液晶パネルに対して、各透明基板８ａ及び８ｂにドライバＩＣ１４ａ及び１４ｂを固着することにより、液晶モジュール２を形成する。各ドライバＩＣ１４ａ及び１４ｂは、それぞれ、リード電極１１及び透明電極１３に導電接続され、各電極に液晶駆動用の電圧を印加する。
【００２５】
この液晶モジュール２においては、各画素電極１２と透明電極１３とが交差する点に像表示のための個々の画素が形成され、そしてそれらの画素の集まりによって表示領域Ｖが形成される。そして、透明基板８ａ又は８ｂのいずれか一方には、その表示領域Ｖを取り囲むようにしてクロム（Ｃｒ）等によって環状の遮光領域１６が形成される。この遮光領域１６は、表示領域Ｖのまわりから光が漏れ出ることによってその表示領域Ｖのまわりに高輝度の枠が見えてしまいそれを見る者に不快感を与えることを防止する。
【００２６】
図１に戻って、照明装置３は、内部に空間を備えた成形ガラス１７と、それに重ね合わせて接合されるガラス板１８と、それらの間に挿入された一対の電極２０ａ及び２０ｂと、そして、成形ガラス１７の底面に配置された底面反射板１９とを含んで構成される。符号１８ａは、ガラス板１８の四角形状の外側表面を示しており、この表面が発光面として作用する。
【００２７】
液晶モジュール２、反射板４及び照明装置３を互いに組み付ける際には、図３（ｂ）に示すように、それらを順々に重ね合わせた後に、それらをケース２１の中に収納する。ケース２１の上面には開口２１ａが形成されており、液晶モジュール２の表示領域Ｖがこのケース開口２１ａを通して外部へ露出する。また、反射板４は照明装置３のガラス板１８の表面、すなわち発光面１８ａの縁部の全域に環状に配設される。また、反射板４は、液晶モジュール２の表示領域Ｖの外側領域に配設される。また、反射板４の内周端縁４ａは液晶モジュール２内に形成された遮光領域１６の内部領域に対応する所に位置している。
【００２８】
以下、上記構成より成る照明装置及び液晶表示装置に関してそれらの動作を説明する。図３（ｂ）において、電極２０ａと電極２０ｂとの間に所定の電圧を印加する。すると、それらの電極間で面内放電が生じ、この面内放電に基づいて、ガラス板１８の外側表面、すなわち発光面１８ａから面状の光が発光する。
【００２９】
一方、液晶モジュール２に関しては、図２において、ＭＩＭ素子側のドライバＩＣ１４ａの働きによってリード電極１１が順々に選択されて電圧が印加され、その一方で対向基板側のドライバＩＣ１４ｂの働きによって対向電極１３のいずれかが選択されて電圧が印加される。こうして、マトリクス状に配列された複数の画素電極１２のうちのいくつかを選択し、それらに付属するＭＩＭ素子にしきい値電圧以上の電圧を印加して該ＭＩＭ素子を導通状態にし、もって、選択された個々の画素内の液晶容量に映像信号を書き込む。また、非選択期間には、ＭＩＭ素子を非導通状態にして映像信号の漏れを防止する。かくして、希望する適宜の画素内の液晶の配向を制御して照明装置３の発光面１８ａからの光を変調し、もって、表示領域Ｖ内に文字、図形等といった可視情報を表示する。
【００３０】
図３（ｂ）において、照明装置３が発光するとき、発光面１８ａの縁部分に生じる発光は、反射板４の反射部材６で反射して照明装置３の内部へ戻されることによって外部への漏れが防止され、さらに底面反射板１９で反射して有効発光領域Ｄ（すなわち、表示領域Ｖ）の縁部を通して外部へ放射される。この結果、有効発光領域Ｄの縁部の発光輝度が高められ、それ故、発光分布曲線Ｅで示すように有効発光領域Ｄ内の全域の輝度が均一になる。この現象は、図３（ａ）のＡ−Ａ断面に限られず、Ｃ−Ｃ断面に関しても同様にもたらされ、その結果、有効発光領域Ｄの全面が均一な輝度で発光する。そしてこの均一な発光により、液晶モジュール２の表示領域Ｖの全域を均一な輝度で表示できる。
【００３１】
なお、図１において、照明装置３の発光面１８ａのうち電極２０ａ及び２０ｂに近い領域Ｈでは、特に、輝度が低下して暗くなることが多い。しかしながら、これらの電極２０ａ及び２０ｂに沿った縁部に反射板４を設置した本実施形態によれば、そのような縁部における輝度の低下を確実に防止できる。また、本実施形態では、反射板４が導電膜７を含んで構成されるので、照明装置３の点灯を開始する際に、放電のきっかけとなる種電子を容易に誘発でき、その結果、照明装置３を安定して円滑に点灯できる。すなわち、安定した点灯始動性を得ることができる。
【００３２】
また、本実施形態では、反射板４が液晶モジュール２の表示領域Ｖの外側に設けられるので、反射板４を設けたことによって表示領域Ｖの縁部の発光輝度が低下するという心配はない。さらに、本実施形態では、反射板４の内周端縁４ａが液晶モジュール２の遮光領域１６の内部領域に対応する所に位置しているので、ケース開口２１ａと遮光領域１６との間に隙間Ｇが形成される場合でも、その隙間Ｇへ向かう光は反射板４によってその進行が阻止される。そのため、その隙間Ｇから光が漏れ出ることがなくなり、よって、見る者の目に高輝度の枠又はラインが入ることがなくなって視認状態を常に良好な状態に維持できる。
【００３３】
（第２実施形態）
図７は、本発明に係る電子機器の一実施形態を示している。この実施形態は、本発明に係る照明装置及び液晶表示装置を電子機器としてのデジタルスチルカメラのファインダ部として使用した場合の実施形態である。通常のカメラが被写体の光像によって感光フィルムを感光するのに対し、このデジタルスチルカメラは、被写体の光像をＣＣＤ等といった撮像素子を用いて光電変換して撮像信号を生成する。
【００３４】
このデジタルスチルカメラは、カメラケース２６の前面側に配設した受光ユニット２７と、カメラケース２６の上面に設けたシャッタボタン２８と、そして、カメラケース２６の背面に配設した液晶表示装置１とを有する。この液晶表示装置１は被写体を表示するためのファインダとして作用するものであり、例えば図１に示した構造の液晶表示装置を用いて構成できる。受光ユニット２７内には、シャッタボタン２８に連動して開閉するシャッタや、光学レンズや、ＣＣＤカメラ等といった撮像素子等が含まれる。
【００３５】
カメラケース２６の内部には制御回路を搭載した回路基板２９が配設され、この制御回路にはメモリが含まれる。また、カメラケース２６の側面にはビデオ信号出力用端子３１及びＲＳ−２３２Ｃ用の入出力端子３２が設けられ、必要に応じて、ビデオ信号出力用端子３１にテレビモニタ３３が接続され、また、ＲＳ−２３２Ｃ用入出力端子３２にパーソナルコンピュータ３４が接続される。テレビモニタ３３は、テレビ信号再生回路３６及びＣＲＴディスプレイ３７を含んで構成される。
【００３６】
このデジタルスチルカメラは以上のように構成されているので、撮影者はカメラを被写体に向けた上でシャッタボタン２８を押圧操作する。すると、受光ユニット２７内においてシャッタが開き、そしてＣＣＤカメラ等の出力端子に被写体に対応した撮像信号が出力される。この撮像信号は、回路基板２９上のメモリ内に格納され、必要に応じて、パーソナルコンピュータ３４やテレビモニタ３３へ出力される。
【００３７】
この実施形態においてファインダとして作用する液晶表示装置１は、図１に示したように、照明装置３の発光面１８ａの縁部に反射板４を備えているので、その発光面１８ａの有効発光領域Ｄの縁部の発光輝度を高めること、すなわち、その有効発光領域Ｄの全面を均一な輝度で発光させることができる。従って、この液晶表示装置１を用いてファインダを構成すれば、ファインダの全面に明確な被写体像を表示することができる。
【００３８】
（その他の実施形態）
以上、好ましい実施形態を用いて本発明を説明したが、本発明はその実施形態に限定されるものではなく、請求の範囲に記載した発明の範囲内で種々に改変できる。
【００３９】
例えば、上記の実施形態では、発光面１８ａに反射板４を載せることにより、その発光面１８ａに反射領域を形成したが、反射板４を載せることに代えて、白色インク等を印刷することによって反射領域を形成することもできる。また、上記の実施形態では、反射板４に導電膜７を含ませたが、これを含むことなく反射部材６だけによって反射板４を構成することもできる。また、反射領域に導電物質を含ませる方法としては、反射部材６に導電膜７を重ねるという方法以外に、白色インクの中に導電粒子を混入するといった方法も採用できる。
【００４０】
反射板４等によって構成される反射領域は、図１に示すように、反射面１８ａの縁部の全域に環状に設けることもできるが、これに代えて、図５に示すように、電極２０ａ及び電極２０ｂに沿った辺部だけに配設することもできる。また、それ以外の辺部Ｆ０  ，ＦＯ  に設けることもできる。
【００４１】
また、本発明の液晶表示装置に関して考えれば、図１に示した実施形態では液晶モジュール２としてＭＩＭ素子を用いたアクティブマトリクス方式の液晶モジュールを用いたが、これ以外の任意の方式の液晶モジュール、例えばＴＦＴ（Ｔｈｉｎ  Ｆｉｌｍ  Ｔｒａｎｓｉｓｔｏｒ）を用いたアクティブマトリクス方式の液晶モジュールや、アクティブ素子を用いない単純マトリクス方式の液晶モジュール等、を用いることができるのはもちろんである。
【００４２】
また、本発明の電子機器に関して考えれば、図７に示した実施形態ではデジタルスチルカメラに適用することを考えたが、これ以外に、ビデオカメラ、携帯電話機、その他種々の電子機器に対して本発明を適用できることはもちろんである。
【００４３】
【発明の効果】
本発明の照明装置、液晶表示装置及び電子機器によれば、電極による放電に基づいて平面状の発光を行うときに、有効発光領域の縁部において輝度が低下するのを防止でき、これにより、有効発光領域内の全面にわたって輝度ムラのない均一な発光を得ることができる。
【００４４】
本発明の照明装置によれば、電極に沿って発生しやすい発光輝度の低い部分に光を導いて該部分の発光輝度を高めることができる。
【００４５】
本発明の照明装置によれば、発光面の有効発光領域の縁部の全域の発光輝度を高めることにより、該有効発光領域の全域をまんべんなく均一な輝度に揃えることができる。
【００４６】
本発明の照明装置によれば、放電のきっかけとなる種電子を誘発できるので、点灯始動性を向上できる。
【図面の簡単な説明】
【図１】本発明に係る照明装置及び液晶表示装置の一実施形態を分解して示す斜視図である。
【図２】液晶モジュールの一例を示す平面図である。
【図３】図１の液晶表示装置を組み立てた状態及び照明装置の発光分布状態を示す図である。
【図４】反射領域の配置の仕方の一例を示す斜視図である。
【図５】反射領域の配置の仕方の他の一例を示す斜視図である。
【図６】液晶モジュール内に形成される遮光領域と液晶モジュールを格納したケースの内周端縁との位置関係を示す平面図である。
【図７】本発明に係る電子機器の一実施形態を示す斜視図である。
【図８】従来の照明装置の一例を示す斜視図である。
【図９】従来の照明装置の発光分布を示す図である。
【符号の説明】
１      液晶表示装置
２      液晶モジュール
３      照明装置
４      反射板
６      反射部材
７      導電膜
８ａ，８ｂ  透明基板
１４ａ，１４ｂ  ドライバＩＣ
１６      遮光領域
１７      成形ガラス
１８      ガラス板
１８ａ    発光面
１９      底面反射板
２０ａ，２０ｂ  電極
２１      ケース
２１ａ    ケースの開口
Ｄ      照明装置の有効発光領域
Ｈ      暗い部分
Ｖ      液晶モジュールの表示領域
【図１】
0003567663.tif 000002
【図２】
0003567663.tif 000003
【図３】
0003567663.tif 000004
【図４】
0003567663.tif 000005
【図５】
0003567663.tif 000006
【図６】
0003567663.tif 000007
【図７】
0003567663.tif 000008
【図８】
0003567663.tif 000009
【図９】
0003567663.tif 000010